(57)【要約】      （修正有）【課題】便器の本体内底面に鏡面を備えることで、用を足す際に、手間なく簡単に自己の肛門付近を観察することを可能とし、自己の健康状態の確認や肛門付近の清潔性を保持することを可能にする大便器を提供する。【解決手段】トイレにおける便器であって、大便器１の本体２内底面３に鏡面４を備える構造である。鏡面４は、底面３所定箇所に固定的に、あるいは、角度調整自在に備えられている。さらに、本体２内所定箇所に、照明が備えられている構造を採用し得る。また、別の実施形態として、大便器１の本体２内所定箇所に取り付けられた可動式アームあるいは伸縮式アームの先端部に鏡面４を備える構造も考え得る。【選択図】図１
0003155737.tif 000002
【実用新案登録請求の範囲】
【請求項１】
トイレにおける便器であって、大便器の本体内底面に鏡面を備えることで、用を足す際に自己の肛門付近を観察することが可能であることを特徴とする大便器。
【請求項２】
トイレにおける便器であって、大便器の本体内所定箇所に取り付けられた可動式アームあるいは伸縮式アームの先端部に鏡面を備えることで、用を足す際に自己の肛門付近を観察することが可能であることを特徴とする大便器。
【請求項３】
前記大便器において、鏡面が、用を足す姿勢で本体内を覗き込んだ際に自己の肛門付近を即座に観察できる位置に固定的に備えられていることを特徴とする請求項１に記載の大便器。
【請求項４】
前記大便器において、鏡面が、用を足す姿勢で本体内を覗き込んだ際に自己の肛門付近を観察できる角度へ自在に調整可能に備えられていることを特徴とする請求項１に記載の大便器。
【請求項５】
前記大便器において、大便器の本体内所定箇所に、照明が備えられていることを特徴とする請求項１から請求項４のいずれかに記載の大便器。
【請求項６】
前記大便器において、大便器本体の少なくとも内側が、黒色あるいは黒系統色であることを特徴とする請求項１から請求項５のいずれかに記載の大便器。
【考案の詳細な説明】
【技術分野】
【０００１】  本考案は、大便器に関し、詳しくは、自己の肛門付近を観察可能な大便器に関するものである。
【背景技術】
【０００２】  人間は、肛門の状態で健康状態を知ることができると言われている。しかしながら、通常生活において、自ら敢えて診ようと試みない限り、肛門を診る機会は無いに等しく、また、仮に診ようとしても、肛門付近は死角であるため、診るための適当な手段が存在せず、手鏡等によって診る以外にない。【０００３】  ところで、トイレの際には、下半身をさらけ出し用が足される。用を足すと、場合によっては洗浄を行い、トイレットペーパーによって肛門を拭き取ることとなる。しかしながら、肛門付近は死角であるため、きれいに拭き取れているか否かについては、確認することは難しい。したがって、完全に拭き取られないままの状態であることも考えられ、かかる状態のまま放置することは不衛生であり、好ましいものではない。
【考案の開示】
【考案が解決しようとする課題】
【０００４】  上記問題点に鑑み、本考案は、大便器の本体内底面に鏡面を備えることで、用を足す際に、手間なく簡単に自己の肛門付近を観察することを可能とし、自己の健康状態の確認や肛門付近の清潔性を保持することを可能にする大便器を提供することを課題とするものである。
【課題を解決するための手段】
【０００５】  前記課題を解決するため、本考案は、トイレにおける便器であって、大便器の本体内底面に鏡面を備える構造となっている。【０００６】  また、本考案は、大便器の本体内所定箇所に取り付けられた可動式アームあるいは伸縮式アームの先端部に鏡面を備える構造とすることができる。【０００７】  さらに、本考案は、前記大便器において、鏡面が、用を足す姿勢で本体内を覗き込んだ際に自己の肛門付近を即座に観察できる位置に固定的に備えられている構造を採用し得る。【０００８】  またさらに、本考案は、前記大便器において、鏡面が、用を足す姿勢で本体内を覗き込んだ際に自己の肛門付近を観察できる角度へ自在に調整可能に備えられている構造とすることができる。【０００９】  さらにまた、本考案は、前記大便器において、大便器の本体内所定箇所に、照明が備えられている構造を採用することができる。【００１０】  そしてまた、本考案は、前記大便器において、大便器本体の少なくとも内側が、黒色あるいは黒系統色である構造とすることも可能である。
【考案の効果】
【００１１】  本考案にかかる大便器によれば、用を足す際に、その姿勢のまま大便器本体内を覗き込むことで、自己の肛門付近を即座に観察することができるため、その肛門の状態により自己の健康状態を確認することができ、また、肛門付近がきれいに拭き取れているか否かについて確認することが可能となって、清潔性を保持する効果を奏するものである。
【考案を実施するための最良の形態】
【００１２】  以下、本考案にかかる大便器１の実施形態について、図面を参照しながら詳細に説明する。【００１３】  図１及び図２は、本考案にかかる大便器１の一の実施形態を示しており、図１は和式の大便器１を示す斜視図であり、図２は洋式の大便器１を示す斜視図である。
本実施形態における大便器１は、図面に示すように、大便器１の本体２内底面３に鏡面４が備えられた構造となっている。【００１４】  かかる鏡面４の備え付け位置については、図４の使用状態に示すように、用を足す姿勢で本体２内を覗き込んだ際に自己の肛門付近を即座に観察できるようにすべく、大便器１の本体２内底面３において備え付ける位置や角度が適宜決定される。【００１５】  このとき、かかる鏡面４について、大便器１の本体２内底面３に固定的に備え付ける構造が考えられる。この場合、大便器１を使用する人夫々に個人差のある覗き込み姿勢を担保すべく、鏡面４の長さをある程度長いものとすることを要する。【００１６】  なお、鏡面４の備え付けに際しては、水洗操作により汚物を流す際に該鏡面４によって引っ掛かりのないよう、底面３に鏡面４嵌合用の凹みを設け、該凹みに鏡面４を嵌合することで、底面３と鏡面４とがフラットな状態となるよう備え付けられることが望ましい。【００１７】  また、かかる鏡面４について、図３に示すように、大便器１の本体２内底面３において角度を自在に調整可能な構造とすることも考え得る。この場合、鏡面４の所定箇所を軸として、自動あるいは手動により角度を調節可能とする。これにより、比較的小型の鏡面４であっても、種々個人差に対応可能となる。【００１８】  なお、鏡面４の備え付けに際しては、前記同様、水洗操作により汚物を流す際に該鏡面４によって引っ掛かりのないよう、底面３に鏡面４嵌合用の凹みを設け、該凹みに鏡面４を所定軸を中心に回動可能に嵌合することで、底面３と鏡面４とをフラットな状態に角度調節することができるように備え付けられることが望ましい。【００１９】  ところで、大便器１を使用する場合に、和式においては本体２に跨ることで、洋式においては便座に座ることにより、本体２の大部分を使用者の人体で覆い隠すこととなる。したがって、本体２内部は暗く、覗き込んでも実際には診え難い状態にある。それを解決すべく、大便器１の本体２内所定箇所に、照明Ｌが備えられている構造を採用し得る。これにより、確実に自身の肛門付近を観察することが可能となる。【００２０】  図５は、本考案にかかる大便器１の、他の実施形態を示す透過図である。
すなわち、本実施形態にかかる大便器１は、図面に示すように、大便器１の本体２内所定箇所に、可動式アームあるいは伸縮式アーム５が取り付けられており、該可動式アームあるいは伸縮式アーム５の先端部には、鏡面４が備えられている構造を採用している。かかる構造を採用することにより、必要に応じて自己意思で鏡面４の出し入れが可能となる。【００２１】  上記の通り構成される本考案にかかる大便器１において、本体２の少なくとも内側が、黒色あるいは黒系統色である構造を採用することも考え得る。かかる構造を採用することにより、鏡面４以外の箇所であっても、本体２の内側面における水が溜まっているところであれば、光を反射して自己の肛門付近の観察をすることが可能となる。
【産業上の利用可能性】
【００２２】  本考案にかかる大便器１は、本体２内に鏡面４を設けるという簡単な構造によって、自身の肛門付近を容易に観察することが可能であり、これにより肛門付近の汚れの状態を見てきれいにすることで清潔性を保持することが可能であるだけでなく、肛門の状態から自己の健康状態を知ることも可能とするものであり、本考案の産業上の利用可能性は非常に大きいといえる。
【図面の簡単な説明】
【００２３】
【図１】  本考案にかかる大便器（和式）の実施形態を示す斜視図である。
【図２】  本考案にかかる大便器（洋式）の実施形態を示す斜視図である。
【図３】  本考案にかかる大便器（和式）の実施形態を示す斜視図である。
【図４】  本考案にかかる大便器の使用状態を示す説明図である。
【図５】  本考案にかかる大便器（洋式）の実施形態を示す透過図である。
【符号の説明】
【００２４】  １    大便器
２    本体
３    底面
４    鏡面
５    可動式アーム，伸縮式アーム
Ｌ    照明
【図１】
0003155737.tif 000003
【図２】
0003155737.tif 000004
【図３】
0003155737.tif 000005
【図４】
0003155737.tif 000006
【図５】
0003155737.tif 000007